(57)【要約】【課題】車輪を除く殆どの部分が段ボール紙等の厚紙状素材で形成されているものでありながらカートとしての強度を確保することができると共に、軽量でしかも使い捨て可能で廃棄処理に当って環境に優しい低コストのカートを提供する。【解決手段】上端面または前面上部に投入口１９を有する箱状ケースＡと、箱状ケースＡの背面に上下に沿って形成された筒状の取っ手保持部材Ｂと、この取っ手保持部材Ｂに収納されて上方に伸張可能に形成された取っ手部材Ｃと、箱状ケースＡの背面下端部に設けられた車輪Ｄとからなり、前記箱状ケースＡ、取っ手保持部材Ｂ並びに取っ手部材Ｃは厚紙状素材の組立て体で形成されている構造。【選択図】図１
2007326515.tif 000002
【特許請求の範囲】
【請求項１】
上端面または前面上部に投入口を有する箱状ケースと、箱状ケースの背面に上下に沿って形成された筒状の取っ手保持部材と、この取っ手保持部材に収納されて上方に伸張可能に形成された取っ手部材と、箱状ケースの背面下端部に設けられた車輪とからなり、前記箱状ケース、取っ手保持部材並びに取っ手部材は厚紙状素材の組立て体で形成されていることを特徴とするカート。
【請求項２】
上記箱状ケースの側壁に手提げ用の把手が設けられている請求項１に記載のカート。
【請求項３】
前記箱状ケース、取っ手保持部材並びに取っ手部材は夫々厚紙状素材を折り込むことによって個別に形成され、箱状ケースと取っ手保持部材とは一体に組み付けられている請求項１または２に記載のカート。
【請求項４】
前記厚紙状素材が段ボール紙である請求項１乃至３の何れかに記載のカート。
【発明の詳細な説明】
【技術分野】
【０００１】
本発明は、例えば商品見本市や展示会場等において、商品カタログやパンフレット・リーフレット等の宣伝用印刷物を収集したとき、これを収納し移動するのに適した手引きカートに関する。而して、該カートは段ボール紙やリブ付け加工を施した厚紙や、生分解性プラスチック製の段ボールやリブ付きシート等の自然環境に優しい素材（これらの素材を纏めて「厚紙状素材」という）によって形成した軽量なカートに関する。
【背景技術】
【０００２】
従来、簡易な折りたたみ式のカートとして、金属製のフレームに布または合成樹脂シートで作られたバッグを取り付けたものがよく知られている。このようなカートは、フレーム自体が金属製であるので軽量化に限界があり、携帯用として持ち運びするのに労力を要するとともに、バッグ自体が厚手の布や合成樹脂シートで丈夫に縫製されているため、金属素材と相俟ってコストが高くつくといった課題があった。そこで、非特許文献１にみられるような、フレーム即ちカート本体を合成樹脂材で作成し、このカート本体の載置台の下面に車輪を取り付け、カート本体の載置台の上面に段ボール紙で作成したボックスを着脱自在に載置するようにしたカートや、特許文献１にみられるような、紙や段ボール紙で作ったバッグの下面に車輪を取り付けたものが開示されている。
【非特許文献１】登録実用新案第３１１９５１０号公報
【特許文献１】特表２００１−５００７７３号公報
【発明の開示】
【発明が解決しようとする課題】
【０００３】
しかし、非特許文献１のカートでは、カート本体が合成樹脂素材で構成されたものであるから、金属に比べて重量や材料コストの面で多少軽減されたとしても成形費用や材料費等で高くつくとともに、カートを持ち上げて運搬するにはやはり重量や形態の面で問題点がある。また、特許文献１に示すものは、紙や段ボール紙で作ったバッグの下面に、単に車輪を取り付けただけのものであって、所謂車輪付きのバッグであり、カートとして使用するには、バッグの上端に設けられた手持ち孔に手をかけて索引することが可能な高さを必要としてバッグ自体が大型化し、持ち運びには不便であるといった欠点があった。
【０００４】
そこで本発明は、上記の課題を解決することを目的とするものであって、車輪を除く他の殆どの部分が段ボール紙等の厚紙状素材の組立て体で形成されているものでありながらカートとしての強度を確保することができると共に、軽量でしかも使い捨て可能な低コストのカートを提供することを主たる目的とするものである。
【課題を解決するための手段】
【０００５】
上記目的を達成する為に本発明では次のような技術的手段を講じた。即ち、本発明に係るカートにあっては、上端面または前面上部に投入口を有する箱状ケースと、箱状ケースの背面に上下に沿って形成された筒状の取っ手保持部材と、この取っ手保持部材に収納されて上方に伸張可能に形成された取っ手部材と、箱状ケースの背面下端部に設けられた車輪とからなり、前記箱状ケース、取っ手保持部材並びに取っ手部材は厚紙状素材の組立て体で形成されている構造とした。
【０００６】
該厚紙状素材としては、前記のとおりであるが、形状維持に充分な強度を備えた段ボール紙が軽量さと入手の容易さ及び価格の面で最も適している。
【発明の効果】
【０００７】
本発明のカートは上記の如く、車輪を除く殆どの部分が安い厚紙状素材により製作されているので、使い捨て可能な低価格で製作することができると共に、重量が著しく軽減されて持ち運びが容易となり、加えて、廃棄処分する場合は車輪を取り除いた後、簡単に圧縮または解体縮小できて有害物質の生じない安全な焼却ゴミや地中埋設ゴミとして処理することができる。また、筒状の取っ手保持部材が箱状ケースの背面に上下に沿って形成されているため、筒状の取っ手保持部材が箱状ケースの補強リブとしての役目を果たし、空洞状であるために比較的強度の弱い箱状ケースを補強して金属やプラスチックの補強支柱がなくても充分な強度を確保することができるとともに、取っ手部材は、取っ手保持部材に収納されて上方に伸張可能に形成されているから、取っ手部材を非使用状態では取っ手保持部材に収納しておくことによりコンパクトに縮小させることができて車輪を使わずに携帯する場合に便利である、といった優れた効果がある。
【発明を実施するための最良の形態】
【０００８】
上記発明を実施するに当っては、箱状部材の側壁に手提げ用の把手を設けるのが好ましい。
これにより、人で混雑した場所等のような車輪を使うのに適切でない場所では、把手を利用して携帯用バッグとしても使用することができて便利である。
【０００９】
また、上記発明を実施するに当っては、前記箱状ケース、取っ手保持部材並びに取っ手部材は夫々厚紙状素材を折り込むことによって個別に形成して箱状ケースと取っ手保持部材とを一体に組み付けて構成することにより、接着材やホッチキスを使用することなく容易にカートを組立て形成することができる。
【実施例】
【００１０】
以下において本発明の具体的な内容を図に示した実施例に基づき説明する。図１は本発明にかかるカートを背面上部から見た斜視図であって、このカートは、上端面にカタログやパンフレット等を投入することができるような細長い投入口１９を有する箱状ケースＡと、箱状ケースＡの背面に上下に沿って一体的に組み付けられた筒状の取っ手保持部材Ｂと、この筒状部材Ｂに上下スライド可能に装着された筒状の取っ手部材Ｃと、前記箱状ケースＡの背面下端部に設けられた車輪Ｄとからなり、前記箱状ケースＡ、取っ手保持部材Ｂ並びに並び取っ手部材Ｃは適度な強度を備えた段ボール紙によって形成されている。
【００１１】
上記取っ手部材Ｃは、その上端部位に手を引掛けるための引掛用開口部４６が設けられ、且つ、箱状ケースＡに組み付けられた取っ手保持部材Ｂに対して、収納された状態から図１の上方に引き出された使用位置までスライドできるように装着されており、上方に引き出された使用位置で取っ手保持部材Ｂ並びに取っ手部材Ｃに貫通した孔３６に段ボール紙製のポールＥを着脱自在に差し込むことによってその姿勢が保持されるように形成されている。
【００１２】
更に、箱状ケースＡの側壁面に手提げ用の把手Ｆが取り付けられており、カバンのように手提げで携帯できるようになっている。
【００１３】
本実施例にあっては、上記した箱状ケースＡ、取っ手保持部材Ｂ並びに取っ手部材Ｃの各パーツが、折り紙のように夫々段ボール紙を折り込むことによって形成されており、箱状ケースＡと取っ手保持部材Ｂとが一体的に組み付けることによって構成されている。
【００１４】
図２〜図７はその一実施例を示す分解組み立て図であって、全体を通して展開図に於ける太線は切断された線を、細線は折込線を表す。
前記箱状ケースＡは図２に示す本体Ａ１と、図３に示す正面カバーＡ２とから構成されており、図２の(イ)で本体Ａ１の展開図を示す。この(イ)の状態から背面プレート１０の上下に形成した折込片１１、１２、１３、１４を折込線を介して図(ロ)に示すように直角に折り込み、背面プレート１０と下方の折込片１３とのコーナー部に形成された軸受け部１５に車輪ＤのシャフトＤ１を装着して車輪Ｄが切り欠き部位１６から外に露出するように取り付ける。次いで、図(ハ)の状態から、左右の折込片１７、１８を前記折込片１２，１４とともに折り込んで図(ニ)に示すように正面が開口した箱状の本体Ａ１を組み立てる。この本体Ａ１の正面開口部に、後記する手順で、図３で示す正面カバーＡ２が組み込まれる。
【００１５】
図３は上記正面カバーＡ２を示すものであって、(イ)の展開図の状態から、正面プレート２０の左右に形成した左右の折込片２１、２２を折り込み線を介して図(ロ)に示すように直角に折り込み、次いで上下の折込片２３、２４、２５，２６を折り込み線を介してこんで図(ハ)に示すように正面カバーＡ２が組み立てられる。この正面カバーＡ２の上部折込片２３並びに前記した本体Ａ１の上部折込片１１に前記した投入口１９が予め切開して形成されている。
【００１６】
図４は取っ手保持部材Ｂを示すものであって、(イ)の展開図の状態から、基体プレート３０の左右に形成した折込片３１，３２を図(ロ)、(ハ)、(ニ)の手順を経て図(ホ)の状態に折り込み、筒状部分Ｂ’を組み立てる。次いで下方の折込片３３，３４、３５を図(へ)の手順を経て図(ト)に示す取っ手保持部材Ｂを組み立てる。尚、図(ホ)は図(ニ)を反転させた状態を示す。
【００１７】
図５は取っ手部材Ｃを示すものであって、(イ)の展開図の状態から、基板４０の上部に形成した折込片４１を図(ロ)の手順を経て図(ハ)のように折り込み、次いで左右の折込片４２、４３、４４、４５を図(ニ)の手順を経て図(ホ)に示すように筒状に折り込んで取っ手部材Ｃを組み立てる。この取っ手部材Ｃの上端部には手を掛けるための引掛用開口部４６が予め切開して形成されている。尚、図における(へ)は図(ホ)の組み立て図を反転させた状態を示す。
【００１８】
上記した各パーツはその組み立てられた状態において、例えば図５の係合片４７と係合孔４８で示すような係合手段により自然分解しないように係合するのがよい。
【００１９】
図６並びに図７は、上記各パーツの組み付け手順を示す。先ず、図６の(イ)に示すように、箱状ケースＡの本体Ａ１に対し、背面プレート１０に形成された切開部１０ａに、本体Ａ１の正面から取っ手保持部材Ｂの筒状部分Ｂ’を挿通させて図(ロ)に示すように両者を結合させる。この本体Ａ１と取っ手保持部材Ｂを結合させた部材の取っ手保持部材Ｂに、図７に示す如く、取っ手部材Ｃを上方から差し込み、取っ手保持部材Ｂ並びに取っ手部材Ｃに形成した孔３６、４９に段ボール紙製のポールＥを挿通させて取っ手部材Ｃを取っ手保持部材Ｂにロックする。次いで、箱状ケースＡの本体Ａ１の正面開口部に、正面カバーＡ２を嵌め込み、本体Ａ１の側面から、把手Ｆの両端取付片Ｆ１を本体Ａ１並びに正面カバーＡ２に貫通して形成した取付穴５０に係入させて把手Ｆを取り付ける。このようにして図１で示すような、段ボール紙製の組立カートが完成される。これにより、接着材やホッチキスを使用することなく容易にカートを組成することができる。
【００２０】
尚、本発明にかかるカートのサイズは特定しないが、手軽に使用できるサイズのもの、例えば箱状ケースＡの高さが４５〜５０cm、前後巾が１５〜１８cm、左右巾が３０〜３５cmのものが好ましい。また取っ手部材Ｃは図１の上方に引き出された状態において、箱状ケースＡの下端から取っ手部材Ｃの引掛用開口部４６までの高さが８０〜８５cmとするのがよい。
【００２１】
上記実施例では、取っ手保持部材Ｂを箱状ケースＡに組み付けることによって結合させたが、箱状ケースＡと個別に作成した取っ手保持部材Ｂを両面接着テープや接着材、或いはホッチキス等の手段で結合するようにすることも可能である。
【００２２】
本発明では上記した実施例に特定されなれるものではない。例えば、取っ手部材Ｃの上端部に形成された引掛用開口部４６の周囲に補強用の合成樹脂リングを嵌め込むようしてもよい。また、箱状ケースＡの側面に取り付けられた把手Ｆは合成樹脂製が好ましいが、強度を持たせた厚紙状素材の積層材で形成することも可能である。また、箱状ケースＡの投入口１９は実施例のような細長形状に限らず、バケットのように大きく開口させて、開閉蓋を設けるようにしてもよい。また、該実施例に示した投入口１９は箱状ケースＡの上端面に形成してあるものとして示したが、箱状ケースＡの前壁を形成する正面プレート２０の上部に形成してあるものとして実施してもよい。その他本発明ではその構成要件を備え、且つ上記した効果を有する範囲内で、適宜変更して実施することができることは勿論である。
【産業上の利用可能性】
【００２３】
本発明のカートは商品見本市会場でのカタログ収集用としての用途の他に、簡易買い物カートとしても利用することが可能である。
【図面の簡単な説明】
【００２４】
【図１】本発明に係るカートの一実施例を示す断面図。
【図２】本発明に於ける箱状ケースの本体の組立手順を示す説明図。
【図３】本発明における箱状ケースの正面カバーの組立手順を示す説明図。
【図４】本発明における取っ手保持部材の組立手順を示す説明図。
【図５】本発明における取っ手部材の組立手順を示す説明図。
【図６】本発明における取っ手保持部材と箱状ケースの本体との組み付け手順を示す説明図。
【図７】本発明における各パーツの組み付け手順を示す説明図。
【符号の説明】
【００２５】
Ａ  箱状ケース
Ｂ  取っ手保持部材
Ｃ  取っ手部材
Ｄ  車輪
Ｅ  ポール
Ｆ  手提げ用把手
１９  投入口
【図１】
2007326515.tif 000003
【図２】
2007326515.tif 000004
【図３】
2007326515.tif 000005
【図４】
2007326515.tif 000006
【図５】
2007326515.tif 000007
【図６】
2007326515.tif 000008
【図７】
2007326515.tif 000009